【手続補正書】
【提出日】平成17年10月25日(2005.10.25)
【手続補正１】
【補正対象書類名】明細書
【補正対象項目名】発明の名称
【補正方法】変更
【補正の内容】
【発明の名称】データ処理装置、データ処理方法、プログラム、記憶媒体
【手続補正２】
【補正対象書類名】明細書
【補正対象項目名】特許請求の範囲
【補正方法】変更
【補正の内容】
【特許請求の範囲】
【請求項１】
外部装置とネットワークを介して通信する通信手段と、
前記通信手段によって外部機器と通信して取得した情報を用いて、前記外部装置に記憶されているデータの中から所定のデータを選択する選択手段と、
前記選択手段により選択された所定のデータの送信を前記外部装置に要求し、該所定のデータを受信する受信手段と、
前記受信手段により受信された所定のデータと、予めユーザにより選択された他のデータを出力する出力手段と、
前記選択手段により所定のデータが選択された状態で、ユーザによる出力指示がなされた場合に、前記受信手段による所定のデータの受信を行わせるとともに、当該所定のデータと前記他のデータとを一括して前記出力手段で出力させるよう制御する制御手段と、
を備えることを特徴とするデータ処理装置。
【請求項２】
前記他のデータとは、前記選択手段により選択されたデータとは異なる場所に記憶されているデータであることを特徴とする請求項１に記載のデータ処理装置。
【請求項３】
外部装置とネットワークを介して通信する通信手段と、
前記通信手段によって外部機器と通信して取得した情報を用いて、前記外部装置に記憶されているデータの中から複数のデータを選択する選択手段と、
前記選択手段により選択された複数のデータの送信を前記外部装置に要求し、該複数のデータを受信する受信手段と、
前記受信手段により受信された複数のデータを出力する出力手段と、
前記選択手段により複数のデータが選択された状態で、ユーザによる出力指示がなされた場合に、前記受信手段による複数のデータの受信を行わせるとともに、当該複数のデータを一括して前記出力手段で出力させるよう制御する制御手段と、
を備えることを特徴とするデータ処理装置。
【請求項４】
互いに独立した複数の外部装置とネットワークを介して通信する通信手段と、
前記通信手段によって外部機器と通信して取得した情報を用いて、前記複数の外部装置に記憶されているデータを、各々の外部装置から少なくとも一つずつ選択する選択手段と、
前記選択手段により選択された複数のデータの送信を前記各々の外部装置に要求し、該複数のデータを受信する受信手段と、
前記受信手段により受信された複数のデータを出力する出力手段と、
前記選択手段により複数のデータが選択された状態で、ユーザによる出力指示がなされた場合に、前記受信手段による複数のデータの受信を行わせるとともに、当該複数のデータを一括して前記出力手段で出力させるよう制御する制御手段と、
を備えることを特徴とするデータ処理装置。
【請求項５】
前記出力手段は、前記受信手段により受信されたデータを所定の宛先に送信する送信手段を含むことを特徴とする請求項１から４のいずれか１項に記載のデータ処理装置。
【請求項６】
前記送信手段は、公衆回線を介してデータをファクシミリ送信することを特徴とする請求項５に記載のデータ処理装置。
【請求項７】
前記送信手段は、ネットワークプロトコルを用いてデータを送信することを特徴とする請求項５に記載のデータ処理装置。
【請求項８】
前記送信手段は、前記複数のデータを一つに結合して送信することを特徴とする請求項５から７のいずれか１項に記載のデータ処理装置。
【請求項９】
前記出力手段は、前記受信手段により受信されたデータを印刷する印刷手段を含むことを特徴とする請求項１から８のいずれか１項に記載のデータ処理装置。
【請求項１０】
前記外部装置に記憶されているデータを示す情報を表示する表示手段を更に備え、
前記選択手段は、前記表示手段に表示されたデータを示す情報の中から、ユーザに所望のデータを指定させることにより、選択することを特徴とする請求項１から９のいずれか１項に記載のデータ処理装置。
【請求項１１】
前記表示手段は、ユーザが所定の外部装置を指定した場合に、該所定の外部装置に記憶されているデータを示す情報を表示することを特徴とする請求項１０に記載のデータ処理装置。
【請求項１２】
前記表示手段は、前記外部装置に記憶されているデータを示す情報と、該データを受信して出力する際の出力方法を指定するための処理メニューとを、同一の画面に表示することを特徴とする請求項１０または１１に記載のデータ処理装置。
【請求項１３】
前記表示手段は、前記選択手段により選択されているデータの数を識別可能に表示することを特徴とする請求項１０から１２のいずれか１項に記載のデータ処理装置。
【請求項１４】
認証ＩＤを入力する入力手段を更に備え、
前記表示手段は、前記入力手段により入力された認証ＩＤが、前記外部装置に記憶された認証ＩＤと一致した場合に、該外部装置に記憶されているデータを示す情報を表示することを特徴とする請求項１０から１３のいずれか１項に記載のデータ処理装置。
【請求項１５】
外部装置とネットワークを介して通信する通信工程と、
前記通信工程で外部機器と通信して取得した情報を用いて、前記外部装置に記憶されているデータの中から所定のデータを選択する選択工程と、
前記選択工程で選択された所定のデータの送信を前記外部装置に要求し、該所定のデータを受信する受信工程と、
前記受信工程で受信された所定のデータと、予めユーザにより選択された他のデータを出力する出力工程と、
前記選択工程で所定のデータが選択された状態で、ユーザによる出力指示がなされた場合に、前記受信工程で所定のデータの受信を行わせるとともに、当該所定のデータと前記他のデータとを一括して前記出力工程で出力させるよう制御する制御工程と、
を備えることを特徴とするデータ処理方法。
【請求項１６】
外部装置とネットワークを介して通信する通信工程と、
前記通信工程で外部機器と通信して取得した情報を用いて、前記外部装置に記憶されているデータの中から複数のデータを選択する選択工程と、
前記選択工程で選択された複数のデータの送信を前記外部装置に要求し、該複数のデータを受信する受信工程と、
前記受信工程で受信された複数のデータを出力する出力工程と、
前記選択工程で複数のデータが選択された状態で、ユーザによる出力指示がなされた場合に、前記受信工程で複数のデータの受信を行わせるとともに、当該複数のデータを一括して前記出力工程で出力させるよう制御する制御工程と、
を備えることを特徴とするデータ処理方法。
【請求項１７】
互いに独立した複数の外部装置とネットワークを介して通信する通信工程と、
前記通信工程で外部機器と通信して取得した情報を用いて、前記複数の外部装置に記憶されているデータを、各々の外部装置から少なくとも一つずつ選択する選択工程と、
前記選択工程で選択された複数のデータの送信を前記各々の外部装置に要求し、該複数のデータを受信する受信工程と、
前記受信工程で受信された複数のデータを出力する出力工程と、
前記選択工程で複数のデータが選択された状態で、ユーザによる出力指示がなされた場合に、前記受信工程で複数のデータの受信を行わせるとともに、当該複数のデータを一括して前記出力工程で出力させるよう制御する制御工程と、
を備えることを特徴とするデータ処理方法。
【請求項１８】
外部装置とネットワークを介して通信する通信工程と、
前記通信工程で外部機器と通信して取得した情報を用いて、前記外部装置に記憶されているデータの中から所定のデータを選択する選択工程と、
前記選択工程で選択された所定のデータの送信を前記外部装置に要求し、該所定のデータを受信する受信工程と、
前記受信工程で受信された所定のデータと、予めユーザにより選択された他のデータを出力する出力工程と、
前記選択工程で所定のデータが選択された状態で、ユーザによる出力指示がなされた場合に、前記受信工程で所定のデータの受信を行わせるとともに、当該所定のデータと前記他のデータとを一括して前記出力工程で出力させるよう制御する制御工程と、
をコンピュータにより実行させることを特徴とするプログラム。
【請求項１９】
外部装置とネットワークを介して通信する通信工程と、
前記通信工程で外部機器と通信して取得した情報を用いて、前記外部装置に記憶されているデータの中から複数のデータを選択する選択工程と、
前記選択工程で選択された複数のデータの送信を前記外部装置に要求し、該複数のデータを受信する受信工程と、
前記受信工程で受信された複数のデータを出力する出力工程と、
前記選択工程で複数のデータが選択された状態で、ユーザによる出力指示がなされた場合に、前記受信工程で複数のデータの受信を行わせるとともに、当該複数のデータを一括して前記出力工程で出力させるよう制御する制御工程と、
をコンピュータにより実行させることを特徴とするプログラム。
【請求項２０】
互いに独立した複数の外部装置とネットワークを介して通信する通信工程と、
前記通信工程で外部機器と通信して取得した情報を用いて、前記複数の外部装置に記憶されているデータを、各々の外部装置から少なくとも一つずつ選択する選択工程と、
前記選択工程で選択された複数のデータの送信を前記各々の外部装置に要求し、該複数のデータを受信する受信工程と、
前記受信工程で受信された複数のデータを出力する出力工程と、
前記選択工程で複数のデータが選択された状態で、ユーザによる出力指示がなされた場合に、前記受信工程で複数のデータの受信を行わせるとともに、当該複数のデータを一括して前記出力工程で出力させるよう制御する制御工程と、
をコンピュータにより実行させることを特徴とするプログラム。
【請求項２１】
請求項１８から２０のいずれか１項に記載のプログラムを格納することを特徴とする記憶媒体。
【手続補正３】
【補正対象書類名】明細書
【補正対象項目名】０００１
【補正方法】変更
【補正の内容】
【０００１】
【発明の属する技術分野】
本発明は、外部装置に記憶されているデータをネットワークを介して受信して処理するデータ処理装置の制御に関するものである。
【手続補正４】
【補正対象書類名】明細書
【補正対象項目名】０００６
【補正方法】変更
【補正の内容】
【０００６】
本発明は、上記の問題点を解決するためになされたもので、本発明の目的は、外部装置に記憶されたデータ中からユーザにより選択されるデータと、予めユーザにより選択されたデータとを一括して出力することができる仕組みを提供することである。
本発明の他の目的は、外部装置に記憶されたデータ中からユーザにより選択される複数のデータを一括して出力することができる仕組みを提供することである。
本発明の他の目的は、複数の外部装置に記憶されたデータ中からユーザにより選択される複数のデータを一括して出力することができる仕組みを提供することである。
【手続補正５】
【補正対象書類名】明細書
【補正対象項目名】０００７
【補正方法】変更
【補正の内容】
【０００７】
【課題を解決するための手段】
本発明に係るデータ処理装置は、以下の特徴的構成を備える。
外部装置とネットワークを介して通信する通信手段と、前記通信手段によって外部機器と通信して取得した情報を用いて、前記外部装置に記憶されているデータの中から所定のデータを選択する選択手段と、前記選択手段により選択された所定のデータの送信を前記外部装置に要求し、該所定のデータを受信する受信手段と、前記受信手段により受信された所定のデータと、予めユーザにより選択された他のデータを出力する出力手段と、前記選択手段により所定のデータが選択された状態で、ユーザによる出力指示がなされた場合に、前記受信手段による所定のデータの受信を行わせるとともに、当該所定のデータと前記他のデータとを一括して前記出力手段で出力させるよう制御する制御手段とを備えることを特徴とする。
また、外部装置とネットワークを介して通信する通信手段と、前記通信手段によって外部機器と通信して取得した情報を用いて、前記外部装置に記憶されているデータの中から複数のデータを選択する選択手段と、前記選択手段により選択された複数のデータの送信を前記外部装置に要求し、該複数のデータを受信する受信手段と、前記受信手段により受信された複数のデータを出力する出力手段と、前記選択手段により複数のデータが選択された状態で、ユーザによる出力指示がなされた場合に、前記受信手段による複数のデータの受信を行わせるとともに、当該複数のデータを一括して前記出力手段で出力させるよう制御する制御手段とを備えることを特徴とする。
さらに、互いに独立した複数の外部装置とネットワークを介して通信する通信手段と、前記通信手段によって外部機器と通信して取得した情報を用いて、前記複数の外部装置に記憶されているデータを、各々の外部装置から少なくとも一つずつ選択する選択手段と、前記選択手段により選択された複数のデータの送信を前記各々の外部装置に要求し、該複数のデータを受信する受信手段と、前記受信手段により受信された複数のデータを出力する出力手段と、前記選択手段により複数のデータが選択された状態で、ユーザによる出力指示がなされた場合に、前記受信手段による複数のデータの受信を行わせるとともに、当該複数のデータを一括して前記出力手段で出力させるよう制御する制御手段とを備えることを特徴とする。
【手続補正６】
【補正対象書類名】明細書
【補正対象項目名】０１０９
【補正方法】変更
【補正の内容】
【０１０９】
【発明の効果】
以上説明したように、本発明によれば、外部装置に記憶されたデータ中からユーザにより選択されるデータと、予めユーザにより選択されたデータとを一括して出力することができるという効果を奏する。
また、外部装置に記憶されたデータ中からユーザにより選択される複数のデータを一括して出力することができるという効果を奏する。
さらに、複数の外部装置に記憶されたデータ中からユーザにより選択される複数のデータを一括して出力することができるという効果を奏する。